(57)【要約】少なくとも２つのアップリンク送信アンテナを使用して送信し、セルラネットワークからダウンリンク方向で制御信号の組を受信するユーザ装置における方法とそのユーザ装置とが提供される。そのユーザ装置は、前記制御信号の組の各制御信号に対する受信信号品質を推定し、前記受信信号品質に基づいて、どの制御信号が高い信頼性で受信されたかを判定する。そのユーザ装置は、制御信号の組から得たサブセットの制御信号を使用して、アップリンク送信ダイバーシチ動作に関係する１つ以上のパラメータを導出する。前記サブセットは、高い信頼性で受信されたと判定された制御信号だけを含む。また、ユーザ装置は、導出した１つ以上のパラメータを適用してアップリンク送信ダイバーシチ動作を制御してアップリンク方向に送信する。ＵＥが導出／設定する送信ダイバーシチパラメータ値の正確さを改善することができる。これにより、アップリンク送信ダイバーシチの動作性能は向上するであろうし、近隣セルに対する干渉は低減するであろう。
2013507824.tif 000002
【特許請求の範囲】
【請求項１】
少なくとも２つのアップリンク送信アンテナを使用して送信を行うユーザ装置におけるアップリンク送信ダイバーシチ動作を制御する方法であって、前記方法は、
セルラネットワークからダウンリンク方向の制御信号の組を受信する工程（４０１）と、
前記制御信号の組における各制御信号に対する受信信号品質を推定する工程（４０３）と、
前記受信信号品質に基づいて、どの制御信号が高い信頼性で受信されたかを判定する工程（４０５）と、
前記制御信号の組から得た、高い信頼性で受信されたと判定された制御信号だけを含むサブセットの制御信号を使用して、前記アップリンク送信ダイバーシチ動作に関係する１つ以上のパラメータを導出する工程（４０７）と、
前記導出した１つ以上のパラメータを適用して前記アップリンク送信ダイバーシチ動作を制御しながら、アップリンク方向に送信する工程（４０９）とを有することを特徴とする方法。
【請求項２】
前記制御信号は、
前記ユーザ装置のアップリンク送信電力を制御するためにユーザ装置に送信される送信電力制御コマンドと、
前記ユーザ装置によるハイブリッド自動繰り返し要求（ＨＡＲＱ）再送信を制御するために前記ユーザ装置に送信されるＨＡＲＱ確認応答／否定確認応答（ＡＣＫ／ＮＡＣＫ）信号と、
前記ユーザ装置の送信ダイバーシチパラメータの明示的な制御のための制御信号との内の１つ以上のタイプを含むことを特徴とする請求項１に記載の方法。
【請求項３】
前記受信信号品質は、
信号対干渉比（ＳＩＲ）と、
信号対干渉プラス雑音比（ＳＩＮＲ）と、
ビット誤り率と、
ブロック誤り率と、
サービスデータユニット（ＳＤＵ）誤り率と、
フレーム誤り率と、
シンボル誤り率と、
の内の１つ以上に基づいて推定されることを特徴とする請求項１又は２に記載の方法。
【請求項４】
前記制御信号の組は全て、単一の無線リンクで受信されることを特徴とする請求項１乃至３のいずれか１項に記載の方法。
【請求項５】
前記制御信号の組は、複数の無線リンクで受信されることを特徴とする請求項１乃至３のいずれか１項に記載の方法。
【請求項６】
前記１つ以上のパラメータは、送信ダイバーシチブランチで送信される信号の
相対的位相と、
相対電力と、
相対的周波数と、
タイミングと、
相対振幅と、
絶対電力と、
の内の１つ以上を含むことを特徴とする請求項１乃至５のいずれか１項に記載の方法。
【請求項７】
前記アップリンク送信ダイバーシチ動作は、送信ダイバーシチビームフォーミングであり、
前記１つ以上のパラメータは、送信ダイバーシチブランチで送信される信号の相対位相と相対振幅とを含むことを特徴とする請求項６に記載の方法。
【請求項８】
前記アップリンク送信ダイバーシチ動作は、アンテナ切り替えのアップリンク送信ダイバーシチであり、
前記１つ以上のパラメータは、送信ダイバーシチブランチで送信される信号の振幅または電力を含むことを特徴とする請求項６に記載の方法。
【請求項９】
前記制御信号の組において、どんな制御信号も高い信頼性では受信されなかったと判定された場合には、前記ユーザ装置は、前記少なくとも２つのアップリンク送信アンテナの組の内の、全ての数よりも少ない数の送信アンテナを使用してアップリンク送信を実行することを特徴とする請求項１乃至８のいずれか１項に記載の方法。
【請求項１０】
前記制御信号の組において、どんな制御信号も高い信頼性では受信されなかったと判定された場合には、前記ユーザ装置は、単一の送信アンテナによる送信モードに切り替えて、前記少なくとも２つ以上のアップリンク送信アンテナの組の内の１つのアンテナを使用してアップリンク送信を実行することを特徴とする請求項１乃至８のいずれか１項に記載の方法。
【請求項１１】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、前記少なくとも２つのアップリンクアンテナの組の内の、全ての数よりも少ない数の送信アンテナを使用して、アップリンク送信を実行することを特徴とする請求項１乃至８のいずれか１項に記載の方法。
【請求項１２】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、単一の送信アンテナによる送信モードに切り替えて、前記少なくとも２つのアップリンク送信アンテナの内の１つのアンテナを使用して、アップリンク送信を実行することを特徴とする請求項１乃至８のいずれか１項に記載の方法。
【請求項１３】
前記ユーザ装置は複数の無線リンクに接続されており、
前記ユーザ装置は２つ以上の無線リンクからのダウンリンク信号或いは命令を受信し、
前記方法は、
１つ以上のアップリンク送信ダイバーシチパラメータを導出或いは調整するために、品質が閾値より高い、各無線リンクからのダウンリンク命令だけを用いる工程をさらに有することを特徴とする請求項１乃至１２のいずれか１項に記載の方法。
【請求項１４】
前記導出或いは調整された１つ以上のアップリンク送信ダイバーシチパラメータは、送信ダイバーシチブランチで送信される、或いは、アップリンク送信アンテナの選択のための信号の、
相対的位相と、
相対振幅と、
相対電力と、
相対的周波数と、
タイミングと、
絶対或いは全電力と、
の内の１つ以上であることを特徴とする請求項１３に記載の方法。
【請求項１５】
前記ユーザ装置は、信頼できない受信命令のために、前記アップリンク送信ダイバーシチのためのパラメータの不適切な設定についての状況について前記ネットワークに明示的に通知することを特徴とする請求項１乃至１４のいずれか１項に記載の方法。
【請求項１６】
前記ネットワークに対する通知は、ネットワークで構成設定されたイベントの形式でなされることを特徴とする請求項１５に記載の方法。
【請求項１７】
少なくとも２つのアップリンク送信アンテナ（１１１）を有し、アップリンク送信ダイバーシチ動作を制御するユーザ装置（１０３）であって、前記ユーザ装置は、
セルラネットワークからダウンリンク方向の制御信号の組を受信し、
前記制御信号の組における各制御信号に対する受信信号品質を推定し、
前記受信信号品質に基づいて、どの制御信号が高い信頼性で受信されたかを判定し、
前記制御信号の組から得た、高い信頼性で受信されたと判定された制御信号だけを含むサブセットの制御信号を使用して、前記アップリンク送信ダイバーシチ動作に関係する１つ以上のパラメータを導出し、
前記導出した１つ以上のパラメータを適用して前記アップリンク送信ダイバーシチ動作を制御しながら、アップリンク方向に送信するよう構成された制御回路（１０７）を有することを特徴とするユーザ装置。
【請求項１８】
前記制御信号は、
前記ユーザ装置のアップリンク送信電力を制御するためにユーザ装置に送信される送信電力制御コマンドと、
前記ユーザ装置によるハイブリッド自動繰り返し要求（ＨＡＲＱ）再送信を制御するために前記ユーザ装置に送信されるＨＡＲＱ確認応答／否定確認応答（ＡＣＫ／ＮＡＣＫ）信号と、
前記ユーザ装置の送信ダイバーシチパラメータの明示的な制御のための制御信号との内の１つ以上のタイプを含むことを特徴とする請求項１７に記載のユーザ装置。
【請求項１９】
前記受信信号を推定する制御回路は、
信号対干渉比（ＳＩＲ）と、
信号対干渉プラス雑音比（ＳＩＮＲ）と、
ビット誤り率と、
ブロック誤り率と、
サービスデータユニット（ＳＤＵ）誤り率と、
フレーム誤り率と、
シンボル誤り率と、
の内の１つ以上に基づいて前記受信信号品質を推定するよう構成されることを特徴とする請求項１７又は１８に記載のユーザ装置。
【請求項２０】
前記ユーザ装置は、前記制御信号の組を単一の無線リンクで受信するよう構成されることを特徴とする請求項１７乃至１９のいずれか１項に記載のユーザ装置。
【請求項２１】
前記ユーザ装置は、前記制御信号の組を複数の無線リンクで受信するよう構成されることを特徴とする請求項１７乃至１９のいずれか１項に記載のユーザ装置。
【請求項２２】
前記１つ以上のパラメータは、送信ダイバーシチブランチで送信される信号の
相対的位相と、
相対電力と、
相対的周波数と、
タイミングと、
相対振幅と、
絶対電力と、
の内の１つ以上を含むことを特徴とする請求項１７乃至２１のいずれか１項に記載のユーザ装置。
【請求項２３】
前記アップリンク送信ダイバーシチ動作は、送信ダイバーシチビームフォーミングであり、
前記１つ以上のパラメータは、送信ダイバーシチブランチで送信される信号の相対位相と相対振幅とを含むことを特徴とする請求項２２に記載のユーザ装置。
【請求項２４】
前記アップリンク送信ダイバーシチ動作は、アンテナ切り替えのアップリンク送信ダイバーシチであり、
前記１つ以上のパラメータは、送信ダイバーシチブランチで送信される信号の振幅または電力を含むことを特徴とする請求項２２に記載のユーザ装置。
【請求項２５】
前記制御信号の組において、どんな制御信号も高い信頼性では受信されなかったと判定された場合には、前記ユーザ装置は、前記少なくとも２つのアップリンク送信アンテナの組の内の、全ての数よりも少ない数の送信アンテナを使用してアップリンク送信を実行するよう構成されることを特徴とする請求項１７乃至２４のいずれか１項に記載のユーザ装置。
【請求項２６】
前記制御信号の組において、どんな制御信号も高い信頼性では受信されなかったと判定された場合には、前記ユーザ装置は、単一の送信アンテナによる送信モードに切り替えて、前記少なくとも２つ以上のアップリンク送信アンテナの組の内の１つのアンテナを使用してアップリンク送信を実行するよう構成されることを特徴とする請求項１７乃至２４のいずれか１項に記載のユーザ装置。
【請求項２７】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、前記少なくとも２つのアップリンクアンテナの組の内の、全ての数よりも少ない数の送信アンテナを使用して、アップリンク送信を実行するよう構成されることを特徴とする請求項１７乃至２４のいずれか１項に記載のユーザ装置。
【請求項２８】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、単一の送信アンテナによる送信モードに切り替えて、前記少なくとも２つのアップリンク送信アンテナの内の１つのアンテナを使用して、アップリンク送信を実行するよう構成されることを特徴とする請求項１７乃至２４のいずれか１項に記載のユーザ装置。
【請求項２９】
前記ユーザ装置は複数の無線リンクに接続可能であり、
前記ユーザ装置は２つ以上の無線リンクからのダウンリンク信号或いは命令を受信するように適合されており、
前記ユーザ装置の前記制御回路（１０７）は、
１つ以上のアップリンク送信ダイバーシチパラメータを導出或いは調整するために、品質が閾値より高い、各無線リンクからのダウンリンク命令だけを用いるよう構成されていることを特徴とする請求項１７乃至２８のいずれか１項に記載のユーザ装置。
【請求項３０】
前記導出或いは調整された１つ以上のアップリンク送信ダイバーシチパラメータは、送信ダイバーシチブランチで送信される、或いは、アップリンク送信アンテナの選択のための信号の、
相対的位相と、
相対振幅と、
相対電力と、
相対的周波数と、
タイミングと、
絶対或いは全電力と、
の内の１つ以上であることを特徴とする請求項２９に記載のユーザ装置。
【請求項３１】
前記ユーザ装置は、信頼できない受信命令のために、前記アップリンク送信ダイバーシチのためのパラメータの不適切な設定についての状況について前記ネットワークに明示的に通知するよう構成されていることを特徴とする請求項１７乃至３０のいずれか１項に記載のユーザ装置。
【請求項３２】
前記ネットワークに対する通知は、ネットワークで構成設定されたイベントの形式でなされることを特徴とする請求項３１に記載のユーザ装置。
【発明の詳細な説明】
【技術分野】
【０００１】
本発明は、無線システムにおけるアップリンクダイバーシチ送信を制御する方法及び装置に関する。
【背景技術】
【０００２】
“ＨＳＰＡに対するアップリンク送信ダイバーシチ”と呼ばれる研究項目（ＲＰ−０９０９８７を参照）が、最近３ＧＰＰの中で完了した。この研究項目の目標は、実行可能性の研究を通して、高速パケットアクセス（ＨＳＰＡ）に対するアップリンク送信ダイバーシチ方式のシステム利得を評価すると共に、セルラ無線システムにおけるユーザ装置（ＵＥ）および基地局の実施例とその複雑さとに対する影響を解析することであった。
【０００３】
ベースラインと典型的なＵＥの実施形は、全てのタイプのアップリンク送信に使用するための単一のアップリンク送信アンテナを備える。しかしながら、ハイエンドＵＥは、アップリンク送信のために複数のアップリンク送信アンテナを有し、これらを使用する可能性がある。これは、一般にアップリンク送信ダイバーシチとして言及される。送信ダイバーシチによる送信の目標は、空間的ダイバーシチと角度的ダイバーシチと時間的ダイバーシチとの内の少なくともいずれかによって、アップリンクデータ速度のより高速化とＵＥ送信電力のより一層の低減との内の少なくともいずれかを達成することである。
【０００４】
一般に使用されるアップリンク送信ダイバーシチは、２つのアップリンク送信アンテナから構成される。２つ以上のアップリンク送信ダイバーシチアンテナからの信号は、位相、振幅、電力等に関して、異なる方法で送信される。これにより、異なるアップリンク送信ダイバーシチ方式を実現することができる。いくつかの公知の方式は、次のとおりである。即ち、
・オープンループによる送信ビームフォーミング、
・クローズドループによる送信ビームフォーミング、
・オープンループによるアンテナ切り替えのアップリンク送信ダイバーシチ、
・クローズドループによるアンテナ切り替えのアップリンク送信ダイバーシチ、
・空間時間送信ダイバーシチ
である。
【０００５】
典型的には、いずれの送信ダイバーシチ方式においても、アップリンク送信ダイバーシチに関係するパラメータの組はＵＥによって定期的に調整される。この目的は、アップリンク送信が所望の空間、時間、または角度ダイバーシチを組み入れることを保証することである。これによって、アップリンクカバレッジが改善され、干渉を低減し、アップリンクビット速度を高速にして、ＵＥはその送信電力を低減することができる。
【０００６】
送信ダイバーシチパラメータは、送信ダイバーシチブランチで送信される信号の、相対的位相、相対振幅、相対電力、相対周波数、タイミング、絶対または全電力等の内の、１つ以上を含むことができる。
【０００７】
これらのパラメータの全てまたはそのサブセットを調整することは、送信ビームフォーミング方式にとっての基本である。ビームフォーミングの目的は、アップリンク送信またはアップリンクビームを、一般にはサービング基地局である所望の基地局に向かわせることである。これによって、サービング基地局は、受信した信号を容易に復号化することができる。さらに、所望の基地局に向かうビームの高い指向性によって、近隣の基地局に向かう干渉が低減する。
【０００８】
同様に、アンテナ切り替えの送信ダイバーシチの場合にも、送信ダイバーシチパラメータは、利用可能な送信ダイバーシチブランチの中から（例えば、無線条件によって）最適な送信アンテナを選択することを意味する。アップリンク送信に対して最適なアンテナを使用することによって、ＵＥは、所与のアップリンク情報速度を保持したままでＵＥの電力を低減させるか、または所与の出力電力を保持したままで情報速度を増加させることができる。
【０００９】
オープンループ送信ダイバーシチ方式では、ＵＥは、ネットワークから送信されるどんな制御シグナリングまたはコマンドも使用することなく、アップリンク送信ダイバーシチのパラメータを自律的に調整する。これらの方式は、全てのシナリオで実質的な利得が得られる可能性はないかもしれないが、より簡単な方式である。
【００１０】
一方、クローズドループ送信ダイバーシチ方式では、ＵＥは、ネットワークから送信される適切な制御シグナリングまたはコマンドを利用することにより、アップリンク送信ダイバーシチパラメータを調整する。これらのコマンドまたは制御信号は、アップリンク品質（例えば、基地局で測定した品質）を反映している。これらのコマンド（制御信号）はダウンリンクによりＵＥにシグナリングされる。さらに、コマンドは排他的にＵＥに送信されて、それによってＵＥはアップリンク送信ダイバーシチパラメータを調整することができる。あるいは、ＵＥは元々は他の目的に意図されている、何らかの現存するコマンドまたはシグナリングを利用して、アップリンク送信ダイバーシチパラメータを導出することができる。このような暗示的なシグナリングまたはコマンドの例は、送信電力制御（ＴＰＣ）コマンドやハイブリッド自動繰り返し要求（ＨＡＲＱ）確認応答／否定確認応答（ＡＣＫ／ＮＡＣＫ）等であり、これらはそれぞれ、アップリンク電力制御方式およびアップリンクＨＡＲＱ再送信方式に関して、基地局によってＵＥに送信される。クローズドループ方式は、アップリンク送信ダイバーシチパラメータを調整するためのネットワークによって制御されたシグナリングの使用により、より良好な動作利得が得られる可能性がある。
【００１１】
さらに、送信ダイバーシチ方式は、ロングタームエボルーション（ＬＴＥ）、広帯域符号分割多元接続（ＷＣＤＭＡ）、または移動通信グローバルシステム（ＧＳＭ）を含むいずれのセルラ無線システム技術でも使用することができる。例えば、ＬＴＥにおいては、アンテナ切り替えのアップリンク送信ダイバーシチがＬＴＥリリース８では標準化されている。
【００１２】
全ての判定が、オン／オフシグナリング、ＡＣＫ応答及びＮＡＣＫ応答、アップ電力制御コマンド及びダウン電力制御コマンド等の１つ以上の単純なコマンドに依存している送信の場合は、信頼性が特に重要になる。信頼性が低いコマンドは、逆方向に生ずる動作を引き起こす可能性があり、ある場合には不安定な挙動に至る可能性がある。
【００１３】
一般的に、低い信頼性は、悪い無線条件、低い送信電力レベル、貧弱なカバレッジ、高いシステム負荷等によって生じ、これにより、受信機は、コマンドの正しい意味を解釈できなくなる。
【００１４】
信頼性の高い動作を保証するために、４組の機能を規定することができる。これらは、
・信頼性のチェック
・ＵＥと基地局との内の少なくともいずれか挙動或いは動作
・ネットワークに対する信頼性が低いイベントの示唆または報告
・低い信頼性の防止
である。
【００１５】
信頼性のチェックは、信号対干渉比（ＳＩＲ）等の、ある信号強度或いは品質のいずれかに基づくと良い。信頼性のチェックはまた、あるビット誤り率（ＢＥＲ）の目標値に基づいていても良い。これは、受信信号品質または信号強度が２つの閾値の間にあるか、或いはＢＥＲが目標値よりも高くなった場合には、受信したコマンドは信頼性が低いと見なすということを意味している。
【００１６】
信頼性が低いコマンドの検出に応答したＵＥまたは基地局の挙動は、オン／オフコマンドにより支配される特定の機能に依存する。
【００１７】
多くの数のアップリンク送信ダイバーシチ方式が存在し、これらは、ネットワークからの制御シグナリングまたはコマンドを使用して、アップリンク送信ダイバーシチパラメータを導出する。例えば、アップリンク送信ビームフォーミング等のある方式では、基地局により送信されるＴＰＣコマンドまたはＨＡＲＱ  ＡＣＫ／ＮＡＣＫを利用して、アップリンク送信ダイバーシチパラメータを導出することができるであろう。同様に、アンテナ切り替えのアップリンク送信ダイバーシチ方式では、アンテナの選択のために、ＴＰＣコマンドまたはＨＡＲＱ  ＡＣＫ／ＮＡＣＫを利用することができるであろう。これらの方式の両方が、３ＧＰＰで最近完了した研究項目の範囲の中で研究されている（ＲＰ−０９０９８７を参照）。
【００１８】
上記のシグナリング（ＴＰＣまたはＨＡＲＱ  ＡＣＫ／ＮＡＣＫ等）は、ダウンリンクで送信されるものであり、アップリンク品質を特徴付けるために使用される。しかしながら、貧弱なダウンリンク品質によって、ＴＰＣ等のコマンドまたはネットワークシグナリングを、ＵＥが誤って受信する可能性がある。例えば、０（例えば、ＤＯＷＮ）または１（例えば、ＵＰ）であるＴＰＣが、エラーのために、もし、１として送信された場合にそれが０と解釈される可能性がある。またその逆も同様である。ＴＰＣ（または同様のコマンドまたはシグナリング）が送信ダイバーシチパラメータの調整の目的で使用された場合には、この誤りによって送信ダイバーシチパラメータの調整を誤ることになるであろう。パラメータの誤った調整は、正しくないビームフォーミングまたは正しくないアンテナ切り替えを行う結果になるかもしれない。例えば、ビームは、サービング基地局ではなく、近隣基地局に向かうかもしれない。アップリンクの性能は劣化する（即ち、ＵＥは、誤って受信したコマンドによって誤った設定をする）であろう。そして、近隣セルは、過剰かつ不必要な干渉を受けることになるであろう。
【００１９】
更に、特許文献１は、２つの送信アンテナの間で信号の重み付けを設定するためのＴＰＣとＨＡＲＱインジケータ（ＡＣＫ／ＮＡＣＫ）を使用するシステムを記載している。ＮＡＣＫが受信された場合には、ＨＡＲＱ品質インジケータは使用されない。
【先行技術文献】
【特許文献】
【００２０】
【特許文献１】米国特許出願公開第２００８／１２３７６８号明細書
【発明の概要】
【発明が解決しようとする課題】
【００２１】
ダウンリンク品質は無線条件によって変動し、ダウンリンク品質は特に、セル境界の近くに位置しているＵＥに対しては、またはダウンリンク負荷が高い場合には劣化する。特に、ＵＥがセル境界の近くに位置しているときには、ＵＥは一般に近隣基地局の近くにいて、サービング基地局からは離れている。それ故に、誤って受信したコマンド（制御信号）は、アップリンク送信ダイバーシチの送信に対して、アップリンクダイバーシチパラメータの正しくない設定をする原因となり、更に高いレベルの実質的な干渉や動作性能の低下に至ることになるであろう。
【００２２】
従って、アップリンク送信ダイバーシチパラメータの値が正しく導出されることを保証することができる方法と構成とを開発することが重要である。
【課題を解決するための手段】
【００２３】
本発明の目的は、先に概説した問題を扱うための改善された方法及び装置を提供することである。
【００２４】
この目的および他の目的は、添付の請求の範囲に記載した方法及び装置によって達成することができる。
【００２５】
１つの実施例によれば、アップリンク送信ダイバーシチ動作を制御するユーザ装置における方法が備えられる。そのユーザ装置は、少なくとも２つのアップリンク送信アンテナを用いて送信し、セルラネットワークからダウンリンク方向の制御信号の組を受信する。そのユーザ装置は、前記制御信号の組の各制御信号に対する受信信号品質を推定し、前記受信信号品質に基づいて、どの制御信号が高い信頼性で受信されたかを判定する。そのユーザ装置は、制御信号の組から得たサブセットの制御信号を使用して、アップリンク送信ダイバーシチ動作に関係する１つ以上のパラメータを導出する。そのサブセットは、高い信頼性で受信されたと判定された制御信号だけを含む。また、そのユーザ装置は、導出した１つ以上のパラメータを適用してアップリンク送信ダイバーシチ動作を制御することにより、アップリンク方向に送信する。ＵＥにより導出され／設定された送信ダイバーシチパラメータ値の正確さを改善することができる。これにより、アップリンク送信ダイバーシチの動作性能は向上するであろうし、近隣セルに対する干渉も低減されるであろう。
【００２６】
１つの実施例によれば、制御信号は次に示す制御信号の内の１つ以上のタイプを含む。これらは、
ユーザ装置のアップリンク送信電力を制御するためにユーザ装置に送信される送信電力制御コマンドと、
ユーザ装置によるハイブリッド自動繰り返し要求（ＨＡＲＱ）再送信を制御するためにユーザ装置に送信されるＨＡＲＱ確認応答／否定確認応答（ＡＣＫ／ＮＡＣＫ）信号と、
ユーザ装置の送信ダイバーシチパラメータの明示的な制御のための制御信号と
である。
【００２７】
１つの実施例によれば、その受信信号品質は、
信号対干渉比（ＳＩＲ）と、
信号対干渉プラス雑音比（ＳＩＮＲ）と、
ビット誤り率と、
ブロック誤り率と、
サービスデータユニット（ＳＤＵ）誤り率と、
フレーム誤り率と、
シンボル誤り率と
の内の１つ以上に基づいて推定される。
【００２８】
１つの実施例によれば、制御信号の組は全て、単一の無線リンクで受信される。
【００２９】
１つの実施例によれば、制御信号の組は、複数の無線リンクで受信される。
【００３０】
１つの実施例によれば、前記１つ以上のパラメータは、送信ダイバーシチブランチで送信される信号の、
相対的位相と、
相対電力と、
相対的周波数と、
タイミングと、
相対振幅と、
絶対電力と
の内の１つ以上を有する。
【００３１】
１つの実施例によれば、アップリンク送信ダイバーシチ動作は、送信ダイバーシチビームフォーミングであり、前記１つ以上のパラメータは、送信ダイバーシチブランチで送信される信号の相対位相と相対振幅とを含む。
【００３２】
１つの実施例によれば、アップリンク送信ダイバーシチ動作は、アンテナ切り替えのアップリンク送信ダイバーシチであり、前記１つ以上のパラメータは、送信ダイバーシチブランチで送信される信号の振幅または電力を含む。
【００３３】
１つの実施例によれば、前記制御信号の組において、いずれの制御信号も高い信頼性で受信されなかったと判定された場合には、ユーザ装置は、前記少なくとも２つのアップリンク送信アンテナの組の内の全ての数よりも少ない数の送信アンテナを使用してアップリンク送信を実行する。
【００３４】
１つの実施例によれば、前記制御信号の組において、いずれの制御信号も高い信頼性で受信されなかったと判定された場合には、ユーザ装置は、単一の送信アンテナによる送信モードに切り替えて、前記少なくとも２つアップリンク送信アンテナの組の内の１つのアンテナを使用してアップリンク送信を実行する。
【００３５】
１つの実施例によれば、前記制御信号の組はＮ個の制御信号から構成されていて、その中のＮより小さい数であるＭ個（Ｍ＜Ｎ）の制御信号が高い信頼性で受信されたと判定された場合には、ユーザ装置は、前記少なくとも２つのアップリンクアンテナの組の内の全ての数よりも少ない数の送信アンテナを使用して、アップリンク送信を実行する。
【００３６】
１つの実施例によれば、前記制御信号の組はＮ個の制御信号から構成されていて、その中のＮより小さい数であるＭ個（Ｍ＜Ｎ）の制御信号が高い信頼性で受信されたと判定された場合には、ユーザ装置は、単一の送信アンテナによる送信モードに切り替えて、前記少なくとも２つのアップリンク送信アンテナの組の１つのアンテナを使用して、アップリンク送信を実行する。
【００３７】
１つの実施例によれば、アップリンク送信ダイバーシチ動作を制御するユーザ装置（ＵＥ）における方法が提供される。ＵＥは、このアップリンク送信ダイバーシチに従って、少なくとも２つのアップリンク送信アンテナを使用して送信する。ＵＥは、制御信号の組をセルラネットワークからダウンリンク方向で受信する。ＵＥは、前記制御信号の組の各制御信号に対する受信信号品質を推定し、その受信信号品質に基づいて、どの制御信号が高い信頼性で受信されたかを判定する。ＵＥは、前記制御信号の組から得たサブセットの制御信号を使用して、アップリンク送信ダイバーシチ動作に関係する１つ以上のパラメータを導出する。前記サブセットは、高い信頼性で受信されたと判定された制御信号だけを含む。ＵＥは、前記導出した１つ以上のパラメータを適用してアップリンク送信ダイバーシチ動作を制御しながら、アップリンク方向に送信する。
【００３８】
１つの実施例によれば、アップリンク送信ダイバーシチ動作方式を使用してアップリンク送信を実行するＵＥと相互作用するセルラネットワークで行われる方法が提供される。そのセルラネットワークは、コマンド信号をＵＥに送信する。そのコマンド信号は、ネットワークからのダウンリンク方向でＵＥが受信した制御信号から、アップリンク送信ダイバーシチ動作に関係する１つ以上のパラメータを、ある所定の時間間隔の間、ＵＥが適切に導出することに失敗した場合には、それをネットワークに報告するようにＵＥに対して命令する。前記パラメータを適切に導出することの失敗は、ＵＥが受信した前記制御信号の低い信号品質に起因するものである。セルラネットワークはさらに、アップリンク送信ダイバーシチ動作に関係する１つ以上のパラメータを、ある所定の時間間隔の間、適切に導出することに失敗したというＵＥからの報告を更に受信する。
【００３９】
１つの実施例によれば、アップリンク送信ダイバーシチ動作方式を使用してアップリンク送信を実行するＵＥと相互作用するセルラネットワークで行われる方法が提供される。セルラネットワーク（そして、特に１つ以上の基地局）は、ＵＥからのアップリンク送信を監視して、ネットワークからダウンリンク方向でＵＥが受信した制御信号から、アップリンク送信ダイバーシチ動作に関係する１つ以上のパラメータをもしかするとＵＥが適切に導出することに失敗した可能性があることを示唆するイベントを検出する。
【００４０】
複数の実施例では、ＵＥ及びネットワークにおける種々の異なる方法を含むとともに、さらに、これらの種々の異なる方法を実施するように構成された、即ち、実行するように適合された手段を含む各装置（ＵＥや無線基地局等のネットワークノード）を含むことができる。
【００４１】
本発明はまた、上記の方法に従ってアップリンク送信を制御するように構成されたユーザ装置にも拡張される。上記の方法に従ってユーザ装置がアップリンク送信を実行することを可能にするために、ユーザ装置は、上記の処理を実行するように構成された回路を有する制御装置（或いは、いくつかの制御装置）を備えることができる。その制御装置は、適切なハードウェアとソフトウェアとの内、少なくともいずれかを使用して実現することができる。そのハードウェアは、読み取り可能な記憶媒体の中に記憶されたソフトウェアを実行するように構成された１つのまたは複数のプロセッサを有することができる。そのプロセッサは、単一の専用プロセッサによって、単一の共有プロセッサによって、または複数の個別のプロセッサによって実現することができる。なお、複数の個別のプロセッサのいくつかは、共有されていてもよいし、または分散されていていてもよい。さらに、プロセッサは、ディジタル信号処理装置（ＤＳＰ）ハードウェアと、ＡＳＩＣハードウェアと、読出専用メモリ（ＲＯＭ）と、ランダムアクセスメモリ（ＲＡＭ）と、他の記憶媒体との内の少なくともいずれかを含むことができるが、これらに限定はされない。
【００４２】
次に、本発明について、添付図面を参照して、非限定的な実施例として、より詳細に説明する。
【図面の簡単な説明】
【００４３】
【図１】セルラ無線システムの概要を示す図である。
【図２】ユーザ装置の概要を示す図である。
【図３】ＴＰＣ  ＳＩＲとＴＰＣシンボル誤り率との間の関係を示す図である。
【図４】ユーザ装置においてアップリンク送信を制御する時に実行するいくつかの手順ステップを示すフローチャートである。
【発明を実施するための形態】
【００４４】
本発明は、２つ以上の送信アンテナを使用して、データ、制御情報、上位層または下位層のシグナリング等のいずれのタイプの信号も送信することができる移動局とも呼ばれるＵＥに適用可能である。この能力は、一般に“アップリンク送信ダイバーシチ”と呼ばれる。典型的なアップリンク送信ダイバーシチの実施形は、２つの送信アンテナを備えることができる。しかしながら、その実施形は２つのアンテナに限定されるものではなく、３つ以上のアンテナを備えていても良い。その内の１つのアンテナはプライマリアンテナと見なされ、これは通常、単一の送信アンテナを備えるベースライン構成に対応する。残りの送信アンテナは、セカンダリアンテナと見なされ、より高機能のアンテナ構成に対応している。
【００４５】
図１には、セルラ無線システム１００の概要が描かれている。図１に描かれているシステム１００はＷＣＤＭＡシステムであり、ＷＣＤＭＡシステムに関連した用語を使用している。しかしながら、本発明は、ＧＳＭ、ＬＴＥ、および他の同様のシステム等のいずれのタイプのセルラ無線システムに対しても適用可能であるということを理解されたい。システム１００は、複数の基地局１０１を備えているが、説明を簡単にするため、その内の１つのみが示されている。基地局１０１は、基地局１０１によりサービスを受けるエリアに位置したＵＥ１０３により図では示されているユーザ装置と接続することができる。システム１００はアップリンク送信ダイバーシチ方式が使用できるように構成されている。基地局とユーザ装置は、制御装置または制御装置回路１０５および１０７を更に備え、それぞれのエンティティに関連した機能を提供する。制御装置１０５および１０７は、例えば、適切なハードウェアとソフトウェアとの内、少なくともいずれかを備えることができる。ハードウェアは１つ以上のプロセッサを備えることができ、これらのプロセッサは、読取可能な記憶媒体に記憶されたソフトウェアを実行するように構成することができる。プロセッサは、単一の専用プロセッサによって、単一の共有プロセッサによって、または複数の個別のプロセッサによって実現することができる。これら複数の個別のプロセッサの内のいくつかは、共有されていてもよいし、または分散されていていてもよい。さらに、プロセッサは、ディジタル信号処理装置（ＤＳＰ）ハードウェアと、ＡＳＩＣハードウェアと、読出専用メモリ（ＲＯＭ）と、ランダムアクセスメモリ（ＲＡＭ）と、他の記憶媒体との内の少なくともいずれかを含むことができるが、これらに限定はされない。
【００４６】
図２には、ダイバーシチ送信方式を使用してアップリンクで送信を行うように構成されたユーザ装置１０３が示されている。ユーザ装置１０３は複数の送信アンテナ１１１を備えているが、説明を簡単にするために、その内の２つが示されている。ユーザ装置は任意の数の送信アンテナを備えることができるということを理解されたい。図示したアンテナは、ユーザ装置がアップリンク送信ダイバーシチを行うことができるということを示している。上述のように、ユーザ装置１０３は、１つ以上の制御装置または制御装置回路１０７を更に備え、これにより、ユーザ装置は、ここで説明したアップリンクダイバーシチ送信の方法を実施することができる。
【００４７】
１つの実施例によれば、ＵＥは、送信ダイバーシチを使用してアップリンクで適切な送信を行うために、アップリンク送信ダイバーシチに関係する１つ以上のパラメータを調整する。その送信ダイバーシチパラメータは、送信ダイバーシチブランチなどで送信される信号の、相対的位相と、相対振幅と、相対電力と、相対周波数と、タイミングと、絶対または全電力の内の１つ以上を含むと良い。その相対的位相は、第１の送信アンテナから送信された信号の位相と第２のアンテナから送信された信号の位相との間（またはその逆）の位相差を含むと良い。デシベル（ｄＢ）で表した相対電力は、第１の送信アンテナから送信された信号の電力と第２のアンテナから送信された信号の電力との間（またはその逆）の電力差を含むと良い。ｄＢで表した相対振幅は、第１の送信アンテナから送信された信号の振幅と第２のアンテナから送信された信号の振幅との間（またはその逆）の振幅差を含むと良い。相対周波数は、第１の送信アンテナから送信された信号の周波数と第２のアンテナから送信された信号の周波数との間（またはその逆）の周波数差を含むと良い。タイミングは、ダイバーシチブランチで送信される信号の適切な送信タイミングを設定することを意味する。理想的には、全てのアンテナでの信号の送信タイミングは同じであるべきである。それ故に、相対時間は、極力小さくあるべきである。相対タイミングは、第１の送信アンテナから送信された信号の送信タイミングと第２のアンテナから送信された信号の送信タイミングとの間（またはその逆）の時間差を含むと良い。従って、全ての送信ダイバーシチブランチで、同様の絶対タイミングが使用されることになる。その意味で、絶対電力または全電力は、全ての送信アンテナから送信される合計の電力である。
【００４８】
相対電力及び相対振幅はまた、線形のスケールで表現することができ、この場合には、相対電力及び相対振幅は、送信アンテナから送信される電力または信号の比となるであろう。
【００４９】
送信ダイバーシチパラメータの調整を行うために適切なアルゴリズムを使用することにより、種々の異なるタイプのアップリンク送信ダイバーシチ方式またはそれらの変形した方式が採用される。例えば、相対位相及び相対振幅等の送信ダイバーシチパラメータを調整して送信ダイバーシチビームフォーミングを実現することができる。同様に、“アンテナ切り替えのアップリンク送信ダイバーシチ”の場合には、ＵＥは、同時には１つのアンテナを使用して送信するように、２つの送信アンテナの間で変調器出力を切り替える。これは、他のアンテナからの、振幅または電力等のダイバーシチパラメータはゼロであるという事実に対応している。従って、本発明は、どんなアップリンク送信ダイバーシチ方式に対しても適用可能である。特に、ダウンリンク方向にネットワークから送信されるいくつかの種類の制御信号を利用するアップリンク送信ダイバーシチ方式に対して適用可能である。これらは、送信ダイバーシチパラメータを調整するために使用される。
【００５０】
従って、送信ダイバーシチパラメータの調整は、ＵＥが無線ネットワークノードから受信する１つ以上のタイプの信号に基づいて行うことができる。これら信号の例としては、ＵＥのアップリンク送信電力を制御するために基地局からＵＥに送信される送信電力制御（ＴＰＣ）コマンド、ＵＥが行うＨＡＲＱ再送信を制御するために基地局からＵＥに送信されるＨＡＲＱ  ＡＣＫ／ＮＡＣＫ、更には、ＵＥの送信ダイバーシチパラメータを制御または調整するための何らかの明示的なシグナリング等である。
【００５１】
次に示す機能について以下で詳しい検討を行う。即ち、
・信頼性の検出と、
・信頼性の扱いに対するＵＥの動作
である。
【００５２】
また、使用することができる更に別の機能は、ＵＥが、信頼性の低いコマンドを繰り返して受信したことが結果として、アップリンク送信ダイバーシチパラメータの適切でない導出につながる、もしくはつながる可能性があるということをネットワークに対して知らせる機能であり、即ち、
・イベントの報告及びネットワークの動作
である。
【００５３】
なお、以下に続く節では、アップリンク送信ダイバーシチについての、特に、送信ビームフォーミング方式とアンテナ切り替えのアップリンク送信ダイバーシチ方式についての実施例について説明する。しかしながら、これらの実施例は、アップリンク送信ダイバーシチに関連するパラメータの値を導出するためにいくつかの種類のダウンリンクネットワーク制御シグナリングを使用するどんなタイプのアップリンク送信ダイバーシチ方式に対しても適用可能である。同様に、説明する種々の異なる方法は、どんなアクセス技術、特に、ＧＳＭ、ＷＣＤＭＡ、ｃｄｍａ２０００、ＬＴＥ周波数分割複信（ＦＤＤ）、ＬＴＥ時分割複信（ＴＤＤ）、または汎用移動通信システム（ＵＭＴＳ）地上無線アクセスネットワーク（ＵＴＲＡＮ）ＴＤＤ等に適用することができる。
【００５４】
信頼性の検出に関しては、ＵＥが受信する送信電力制御（ＴＰＣ）コマンド、ＨＡＲＱ  ＡＣＫ／ＮＡＣＫ等のダウンリンク信号が、アップリンク送信ダイバーシチパラメータの値を導出するためにＵＥにより使用される。従って、ネットワークから送信されるこれらのダウンリンク制御信号（またはコマンド）は、アップリンク信号品質を反映している。しかしながら、ＵＥによりダウンリンクで受信するこれらの信号は、貧弱なダウンリンク品質によって誤りを含む可能性がある。例えば、貧弱なダウンリンク品質によって、ネットワークによって送信されたＵＰ  ＴＰＣコマンド（例えば、１）は、ＤＯＷＮ（例えば、０）であると解釈される可能性がある。従って、例えば、チャネル符号化の形で強い保護を行っていない、ＴＰＣ、ＨＡＲＱ  ＡＣＫ／ＮＡＣＫ等の“０”かまたは“１”のどちらかであるオン／オフタイプの信号は、受信誤りを生ずる可能性が高い。
【００５５】
ＵＥは、受信信号を使用して送信ダイバーシチパラメータを導出または調整する前に、または、受信信号を使用して送信ダイバーシチに関連する何らかの動作を取ったり決定を行う前に、受信信号の信頼性を判定する。
【００５６】
受信信号の組の信頼性を判定するために、ＵＥは、次に示すステップを実行することができる。即ち、
・例えば、ＴＰＣコマンド、または、ＨＡＲＱ  ＡＣＫ／ＮＡＣＫ、または、ネットワークノードによって送信される同様の信号であるかもしれないダウンリンク信号の組を受信するステップと、
・受信信号または受信コマンドのダウンリンク品質が、そのダウンリンク品質にマッピングすることができる前記ダウンリンク受信信号、または何らかの適切な共通または専用パイロット信号の、信号強度、ＳＩＲ、ＳＩＮＲ、ビット誤り率（ＢＥＲ）、またはシンボル誤り率の内のいずれかに基づいており、共通パイロット信号の例は、ＵＴＲＡＮにおける共通パイロットチャネル（ＣＰＩＣＨ）および同期チャネル（ＳＣＨ）、またはＬＴＥにおける基準信号およびＳＣＨであり、専用パイロットの例は、ＷＣＤＭＡにおける専用物理制御チャネル（ＤＰＣＣＨ）で送信されるパイロットシンボル、またはＬＴＥにおける専用基準信号（ＤＲＳ）であって、前記受信信号のダウンリンク品質を測定、推定、または導出するステップと、
・信号またはコマンドの受信信号品質を閾値と比較して、ダウンリンク受信信号は信頼性が高いか否かを判定するステップと、
を実行するものであり、
受信信号の品質が閾値よりも高ければ、受信信号は信頼性が高いと判定され、そうでなければ信頼性が低いと判定される。閾値は、ＵＥにより決定されても良いし、標準規格において事前に規定されていても良いし、或いは、ネットワークからＵＥにシグナリングされても良い。
【００５７】
例として、図３は、ＴＰＣ  ＳＩＲとＴＰＣシンボル誤り率との間の関係を図示している。ＵＥは、受信したＴＰＣビットのＳＩＲを測定し、これを閾値（γ）と比較することにより、受信したＴＰＣビットが信頼できるものかどうかをチェックする。例えば、ＷＣＤＭＡにおいては、ＵＥは最初に、フラクショナル専用物理チャネル（Ｆ−ＤＰＣＨ）により送信されたＴＰＣコマンドでＳＩＲを測定し、マッピング機能を使用して、ＴＰＣコマンドの誤り率を導出することができる。ＴＰＣ誤り率の目標値は、適切な閾値レベル、例えば、３０％に設定することができる。ＴＰＣ誤り率がその閾値よりも高い場合には、そのコマンドは信頼できないと見なすことができる。
【００５８】
信頼性の扱いに対するＵＥの動作に関して、ＵＥは、高い信頼性で受信したダウンリンク信号だけを使用してアップリンク送信ダイバーシチパラメータを導出し、それにより、アップリンク送信に対するアンテナ選択等の何らかのアップリンク送信ダイバーシチの決定を行うように適合される。
【００５９】
図４は、ＵＥにおいてアップリンク送信ダイバーシチ動作を制御する時に実行するいくつかのステップを示すフローチャートである。ＵＥは、少なくとも２つのアップリンク送信アンテナを使用することができる。最初に、ステップ４０１において、ＵＥは、セルラネットワークからダウンリンクの方向で制御信号の組を受信する。ステップ４０３において、ＵＥは、前記制御信号の組の各制御信号に対する受信信号品質を推定する。次に、ステップ４０５において、どの制御信号が高い信頼性で受信されたかを、受信信号品質に基づいて判定する。それに応じて、ステップ４０７において、ＵＥは、前記制御信号の組から得たサブセットの制御信号を使用して、アップリンク送信ダイバーシチ動作に関係する１つ以上のパラメータを導出する。前記サブセットは、高い信頼性で受信されたと判定された制御信号だけを含む。次に、ＵＥは、ステップ４０９において、導出した１つ以上のパラメータを適用してアップリンク送信ダイバーシチ動作を制御しながら、アップリンク方向に送信する。
【００６０】
アップリンク送信ダイバーシチパラメータを導出するために、またアンテナの選択を行うために、信頼できないコマンド、とりわけＴＰＣコマンドをどのように扱うかに関わるＵＥの動作は、適用可能な標準規格、即ち、ＵＥの動作を支配する所定のルールで規定される。信頼できないコマンドまたは制御信号を扱うＵＥの動作に対して、種々の異なる基準、即ち、所定のルールが規定される。
【００６１】
例えば、何らかのタイプのアップリンク送信ダイバーシチに対して、次に示すような基準を規定することができる。即ち、
ＵＥは、アップリンク送信ダイバーシチに使用されるアップリンク送信ダイバーシチパラメータを導出または設定するために、高い信頼性で受信したコマンド（例えば、ＴＰＣ、またはＵＬ送信ダイバーシチに対する何らかの明示的なシグナリング）だけを使用すべきである。
【００６２】
送信ビームフォーミングの場合には、次に示すような基準を規定することができる。即ち、
ＵＥは、アップリンク送信ビームフォーミングに使用されるアップリンク送信ダイバーシチパラメータを導出または設定するために、高い信頼性で受信したコマンド（例えば、ＴＰＣ、または何らかの明示的シグナリング）だけを使用すべきである。
【００６３】
アンテナ切り替えの送信ダイバーシチの場合には、次に示すような基準を規定することができる。即ち、
アンテナ切り替えの送信ダイバーシチの場合には、ＵＥは、高い信頼性で受信したコマンド（例えば、ＴＰＣ、または何らかの明示的シグナリング）だけを使用して、アップリンク送信のためのアップリンクアンテナを選択すべきである。
【００６４】
更に別の基準も次に示すように規定することができる。即ち、
一定の時間にわたり受信した全てのコマンドが信頼できない場合には、ＵＥは、単一の送信アンテナだけを使用すべきであるか、或いは、アップリンク送信ダイバーシチを使用すべきではない。
【００６５】
ＵＥの動作は、ＵＥが、信号またはコマンドを単一の無線リンクから受信するか、或いは複数の無線リンクから受信するかに依存する。無線リンクは、ＵＥと無線基地局との間の無線リンクであり、その無線リンクにより、制御情報とデータとの内、少なくともいずれかが、ＵＥと無線基地局との間で交換される。無線基地局は、例えば、ＵＴＲＡＮにおけるノードＢ、Ｅ−ＵＴＲＡＮにおけるｅノードＢ、またアクセスポイント等であってよい。同一のサイトまたは場所に、２つ以上の無線基地局が存在する可能性がある。典型的には、データ／制御情報の送受信は、単一の無線リンクを使用して行われる。しかしながら、ソフトハンドオーバの場合等のいくつかの場合には、データおよび制御情報の送受信のために、複数の無線リンクが使用される。
【００６６】
単一の無線リンクの場合で、ＵＥが、ただ１つの無線リンクから、ダウンリンク信号またはダウンリンクコマンドを受信するときには、ＵＥは、次に示すステップを実行することができる。即ち、
−高い信頼性の（即ち、品質が閾値よりも高い）ＴＰＣまたはＨＡＲＱ  ＡＣＫ／ＮＡＣＫ等のダウンリンク信号／コマンドだけを使用して、送信ダイバーシチブランチで送信される信号の、相対的位相、相対振幅、相対電力、相対周波数、タイミング、絶対または全電力のような１つ以上のアップリンク送信ダイバーシチパラメータを導出または調整する、またはアップリンク送信アンテナを選択するステップ
である。
【００６７】
１つの実施例によれば、ＵＥがＮ個の最近に受信したコマンドを備える窓（Ｗ）を使用して前記アップリンク送信ダイバーシチパラメータを導出する場合には、ＵＥは、次に示す更なるステップを実行することができる。即ち、
−最近受信した合計Ｎ個の信号／コマンドの中で高い信頼性で受信したＭ個（Ｍ≦Ｎ）の信号／コマンドの全てを使用して、アップリンク送信ダイバーシチパラメータを導出する、またはアップリンク送信アンテナを選定するステップ
である。
【００６８】
最近受信したＮ個のコマンド全てが信頼できない場合には、ＵＥは、次に示す更なるステップを実行することができる。即ち、
ＵＥにより決定される値、または、事前に規定される値、または、ネットワークによりシグナリングされる値の時間間隔（Ｔ０）の終了まで、または、
最近受信したＮ個のコマンドの内、少なくとも１つのコマンドが高い信頼性で受信されるまで、
アップリンク送信に対して単一の送信アンテナだけを使用するステップ
である。
【００６９】
別の実施例によれば、最近受信したＮ個のコマンド全てが信頼できない場合には、ＵＥは、次に示すステップを実行することができる。即ち、
−最近受信したコマンドの窓（Ｗ）のサイズを数Ｌ（Ｌ＞Ｎ）まで拡大し、アップリンク送信ダイバーシチパラメータを導出するステップと、
−Ｌ個のコマンドの内の少なくともＫ個のコマンドが高い信頼性で受信された場合には、前記窓のサイズを事前に規定した値、またはデフォルト値まで縮小するステップ
とである。
【００７０】
複数の無線リンクの場合には、ＵＥは、ダウンリンク信号またはダウンリンクコマンドを２つ以上の無線リンクから受信する。各無線リンクは、ＵＥを異なるセルに接続する。それらのセルは、同一の基地局サイトに属していてもよいし、または属していなくてもよい。ＣＤＭＡシステム、例えば、ＷＣＤＭＡまたはｃｄｍａ２０００におけるソフトハンドオーバでは、このようなことが起きる。別の例は、協調マルチポイント送信／受信（ＣｏＭＰ）の場合であり、ＣｏＭＰでは、ＵＥは複数の無線リンクを通してデータの送受信を行うことができる。ＣｏＭＰは、ＷＣＤＭＡおよびＬＴＥを含む種々の技術の中で採用されている。
【００７１】
このような複数の無線リンクを使用する場合には、ＵＥは次に示すステップを実行することができる。即ち、
−各無線リンクからの、高い信頼性の（即ち、品質が閾値よりも高い）ダウンリンクコマンド（ＴＰＣまたはＡＣＫ／ＮＡＣＫ等）だけを使用して（つまり、高い信頼性が無線リンクだけを使用して）、送信ダイバーシチブランチで送信される信号の、相対的位相、相対振幅、相対電力、相対周波数、タイミング、絶対または合計電力等、１つ以上のアップリンク送信ダイバーシチパラメータを導出または調整する、またはアップリンク送信アンテナを選択するステップ
である。
【００７２】
１つの実施例によれば、ＵＥが、各無線リンクからの最近受信したＮ個のコマンドを備える窓（Ｗ）を使用して、前記アップリンク送信ダイバーシチパラメータを導出する場合には、ＵＥは次に示すステップを実行することができる。即ち、
−各無線リンクから最近受信した合計Ｎ個のコマンドの内の、各無線リンクから高い信頼性で受信したＭ個（Ｍ≦Ｎ）全てのコマンドを使用して、アップリンク送信ダイバーシチパラメータを導出する、またはアップリンク送信アンテナを選択するステップ
である。
【００７３】
全ての無線リンクから最近受信したＮ個のコマンド全てが信頼できないと判定された場合には、ＵＥは、次に示すステップを実行することができる。即ち、
−ＵＥにより決定される値、または、事前に規定される値、または、ネットワークによりシグナリングされる値の、時間間隔（Ｔ０）の終了まで、または、
−少なくとも１つの無線リンクから最近受信したＮ個のコマンドの内、少なくとも１つのコマンドが高い信頼性で受信されるまで、
アップリンク送信に対して単一の送信アンテナだけを使用するステップ
である。
【００７４】
１つの実施例によれば、全ての無線リンクから最近受信したＮ個のコマンド全てが信頼できないと判定された場合には、ＵＥは、次に示す更なるステップを実行することができる。即ち、
−全ての無線リンクで最近受信したコマンドの窓（Ｗ）のサイズを、数Ｌ（Ｌ＞Ｎ）まで拡大し、アップリンク送信ダイバーシチパラメータを導出するステップと、
−少なくとも１つの無線リンクに対してＬ個のコマンドの内の少なくともＫ個のコマンドが高い信頼性で受信された場合には、前記窓のサイズを事前に規定した値、またはデフォルト値まで縮小するステップ
である。
【００７５】
送信ダイバーシチパラメータの調整における誤りを防止するために、信頼できないコマンドを無視するようにＵＥは適合される。受信したコマンドが頻繁に信頼できない場合には、これはアップリンク送信ダイバーシチの性能を低下させる可能性がある。ネットワークは、このようなことが生じたときには、通知を受けて（または検出して）、そしてこの状況を改善すべく適切な行動を取ることが望ましい。
【００７６】
従って、１つの実施例によれば、ある時間にわたり、受信コマンドが信頼できないことの原因になる信頼できないダウンリンクのために、ＵＥが送信ダイバーシチパラメータを適切に導出することができなかった場合には、ネットワークに対してそれを明示的に報告するように、ＵＥを適合させることができる。この誤りの状態は、ネットワークが構成設定するイベントの形で、ＵＥからネットワークに報告される。ある送信ダイバーシチパラメータ（Ｐ）を適切に調整することができない継続時間（Ｔ１）等のイベントパラメータは、ネットワークにより構成設定されても良いし、或いは、事前に規定されても良い。
【００７７】
イベント報告に応答して、ネットワークは適切な行動を取ることができる。このような行動には、送信電力レベルの増加、干渉を低減するための輻輳制御、または最悪の場合のセルの変更等を含む。この情報はまた、運用および保守の目的のために、即ち、正しい送信電力レベル、セルサイズ等の設定を行う長期ネットワーク計画に対して使用することもできる。
【００７８】
さらに、ネットワークはまた、ＵＥが報告したイベント（または、貧弱なダウンリンク品質のためにパラメータを設定することに関して何らかの関連する誤りを生ずる状態）を用い、フォールバックモード、即ち、単一の送信アンテナによる送信モードに戻るようにＵＥに対して要求することにより、共に送信ダイバーシチを全て解除させるように適合される。
【００７９】
上記のイベント報告は、信頼できない受信コマンドのために、アップリンク送信ダイバーシチに対するパラメータが適切に設定されていないという状態についてネットワークに対して明示的に通知するものである。しかしこれは、アップリンクにおけるイベント報告のために、いくばくかのシグナリングオーバヘッドを伴う。別の代替策では、いずれかの明示的なＵＥ報告、或いは、何らかのイベント報告がなくても、ネットワークはそれ自身で、アップリンク送信ダイバーシチパラメータは正しく設定されないということを推論することができる。
【００８０】
ビームフォーミングの場合の例として、基地局における受信ビームのビーム方向が一定の閾値だけ偏っている場合には、ネットワークは、ダウンリンクに送信する信号またはコマンドの送信電力を増加することができる。別の可能性としては、ネットワークは、送信ダイバーシチを解除することである。更に別の可能性としては、ネットワークはハンドオーバを実行することである。別のセルへのハンドオーバは、より良好なダウンリンク品質を保証することができ、これにより、ＵＥがダウンリンクで受信するコマンドの信頼性は改善されるであろう。
【００８１】
同様に、不適切なビーム指向性のために、近隣基地局は、高い干渉を受ける可能性がある。アップリンクのセル負荷（例えば、サービスを受けるユーザ）とネットワーク計画の知識（例えば、干渉の統計特性）に基づいて、基地局は、この干渉が正常なものであるか、或いは、不適切なビームフォーミング等の特定の原因によるものであるかを識別することができる。このような基地局はまた、サービスを受けるユーザからの予想される干渉に関して、近隣基地局に通知することもできる。
【００８２】
１つの実施例によれば、アップリンク送信ダイバーシチ動作方式を使用してアップリンク送信を実行できるＵＥと相互作用をするセルラネットワークにおける方法が提供される。この方法に従えば、コマンド信号がＵＥに送信される。前記コマンド信号は、ある規定された時間間隔の間、ＵＥが、ネットワークからダウンリンク方向でＵＥが受信した制御信号から、アップリンク送信ダイバーシチ動作に関係する１つ以上のパラメータを適切に導出することに失敗したときは、ＵＥにより受信した前記制御信号が低い受信信号品質のために、前記パラメータを適切に導出することに失敗したということをネットワークに対して報告するようにＵＥに命令する。ネットワークは、その規定された時間間隔の間、アップリンク送信ダイバーシチ動作に関係する１つ以上のパラメータを適切に導出することにＵＥが失敗したという報告をＵＥから受信する。
【００８３】
１つの実施例によれば、ＵＥからの報告の受信により、ネットワークが次のことの内の少なくとも１つを実行するようにトリガをかける。次のこととは、
−ダウンリンクにおける送信電力を増加すること、
−輻輳制御を適用してダウンリンク干渉を低減すること、
−例えば、ハンドオーバを実行することにより、
セルを変更するようにＵＥに命令すること、
−単一アンテナのアップリンク送信を使用するようにＵＥに命令すること
である。
【００８４】
１つの実施例によれば、ネットワークからＵＥに対するコマンド信号とＵＥからネットワークに対する報告とは、無線資源制御プロトコルを使用して送信される。
【００８５】
更に、別の実施例によれば、アップリンク送信ダイバーシチ動作方式を使用してアップリンク送信を実行するＵＥと相互作用をするセルラネットワークにおける方法が提供される。この方法に従えば、ネットワークは、ＵＥからのアップリンク送信を監視して、ネットワークからダウンリンク方向でＵＥが受信した制御信号から、アップリンク送信ダイバーシチ動作に関係する１つ以上のパラメータを適切に導出することにＵＥが失敗した可能性があるということを示すイベントを検出する。
【００８６】
１つの実施例によれば、アップリンク送信ダイバーシチ動作方式は、ビームフォーミングであり、そのイベントは、次に示すイベントの内の少なくとも１つを含む。これらは、
−受信ビームの方向が予想する方向から一定の閾値よりも大きく偏っていること、
−近隣基地局において受ける干渉が予想する干渉レベルよりも高いこと
である。
【００８７】
ここで説明した方法及びユーザ装置は、ＵＥが導出／設定する送信ダイバーシチパラメータ値の正確さを改善するであろう。これにより、アップリンク送信ダイバーシチの動作性能は向上するであろう。また、近隣セルに対する干渉は低減するであろう。更に、ＵＥにおけるダウンリンク信号の信頼できない受信についてのＵＥのイベント報告、或いは、ネットワークにおける独立的な検出によって、ネットワークは適切な行動（例えば、送信電力を調整する等）を取ることができる。ネットワークがダウンリンクを改善するための行動を取る結果、ＵＥが設定する送信ダイバーシチパラメータ値の正確さは改善される。これにより、アップリンク送信ダイバーシチの動作性能は向上するであろうし、近隣セルに対する干渉は低減するであろう。
【図１】
2013507824.tif 000003
【図２】
2013507824.tif 000004
【図３】
2013507824.tif 000005
【図４】
2013507824.tif 000006
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
少なくとも２つのアップリンク送信アンテナを使用して送信を行うユーザ装置におけるアップリンク送信ダイバーシチ動作を制御する方法であって、前記方法は、
セルラネットワークからダウンリンク方向の制御信号の組を受信する工程（４０１）と、
前記制御信号の組における各制御信号に対する受信信号品質を推定する工程（４０３）と、
前記受信信号品質に基づいて、どの制御信号が高い信頼性で受信されたかを判定する工程（４０５）と、
前記制御信号の組から得た、高い信頼性で受信されたと判定された制御信号だけを含むサブセットの制御信号を使用して、前記アップリンク送信ダイバーシチ動作に関係する１つ以上のパラメータを導出する工程（４０７）と、
前記導出した１つ以上のパラメータを適用して前記アップリンク送信ダイバーシチ動作を制御しながら、アップリンク方向に送信する工程（４０９）とを有することを特徴とする方法。
【請求項２】
前記制御信号は、
前記ユーザ装置のアップリンク送信電力を制御するためにユーザ装置に送信される送信電力制御コマンドと、
前記ユーザ装置によるハイブリッド自動繰り返し要求（ＨＡＲＱ）再送信を制御するために前記ユーザ装置に送信されるＨＡＲＱ確認応答／否定確認応答（ＡＣＫ／ＮＡＣＫ）信号と、
前記ユーザ装置の送信ダイバーシチパラメータの明示的な制御のための制御信号との内の１つ以上のタイプを含むことを特徴とする請求項１に記載の方法。
【請求項３】
前記受信信号品質は、
信号対干渉比（ＳＩＲ）と、
信号対干渉プラス雑音比（ＳＩＮＲ）と、
ビット誤り率と、
ブロック誤り率と、
サービスデータユニット（ＳＤＵ）誤り率と、
フレーム誤り率と、
シンボル誤り率と、
の内の１つ以上に基づいて推定されることを特徴とする請求項１又は２に記載の方法。
【請求項４】
前記１つ以上のパラメータは、送信ダイバーシチブランチで送信される信号の
相対的位相と、
相対電力と、
相対的周波数と、
タイミングと、
相対振幅と、
絶対電力と、
の内の１つ以上を含むことを特徴とする請求項１乃至３のいずれか１項に記載の方法。
【請求項５】
前記制御信号の組において、どんな制御信号も高い信頼性では受信されなかったと判定された場合には、前記ユーザ装置は、前記少なくとも２つのアップリンク送信アンテナの組の内の、全ての数よりも少ない数の送信アンテナを使用してアップリンク送信を実行することを特徴とする請求項１乃至４のいずれか１項に記載の方法。
【請求項６】
前記制御信号の組において、どんな制御信号も高い信頼性では受信されなかったと判定された場合には、前記ユーザ装置は、単一の送信アンテナによる送信モードに切り替えて、前記少なくとも２つ以上のアップリンク送信アンテナの組の内の１つのアンテナを使用してアップリンク送信を実行することを特徴とする請求項１乃至４のいずれか１項に記載の方法。
【請求項７】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、前記少なくとも２つのアップリンクアンテナの組の内の、全ての数よりも少ない数の送信アンテナを使用して、アップリンク送信を実行することを特徴とする請求項１乃至４のいずれか１項に記載の方法。
【請求項８】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、単一の送信アンテナによる送信モードに切り替えて、前記少なくとも２つのアップリンク送信アンテナの内の１つのアンテナを使用して、アップリンク送信を実行することを特徴とする請求項１乃至４のいずれか１項に記載の方法。
【請求項９】
前記ユーザ装置は複数の無線リンクに接続されており、
前記ユーザ装置は２つ以上の無線リンクからのダウンリンク信号或いは命令を受信し、  前記方法は、
１つ以上のアップリンク送信ダイバーシチパラメータを導出或いは調整するために、品質が閾値より高い、各無線リンクからのダウンリンク命令だけを用いる工程をさらに有することを特徴とする請求項１乃至８のいずれか１項に記載の方法。
【請求項１０】
前記ユーザ装置は、信頼できない受信命令のために、前記アップリンク送信ダイバーシチのためのパラメータの不適切な設定についての状況について前記ネットワークに明示的に通知することを特徴とする請求項１乃至９のいずれか１項に記載の方法。
【請求項１１】
少なくとも２つのアップリンク送信アンテナ（１１１）を有し、アップリンク送信ダイバーシチ動作を制御するユーザ装置（１０３）であって、前記ユーザ装置は、
セルラネットワークからダウンリンク方向の制御信号の組を受信し、
前記制御信号の組における各制御信号に対する受信信号品質を推定し、
前記受信信号品質に基づいて、どの制御信号が高い信頼性で受信されたかを判定し、
前記制御信号の組から得た、高い信頼性で受信されたと判定された制御信号だけを含むサブセットの制御信号を使用して、前記アップリンク送信ダイバーシチ動作に関係する１つ以上のパラメータを導出し、
前記導出した１つ以上のパラメータを適用して前記アップリンク送信ダイバーシチ動作を制御しながら、アップリンク方向に送信するよう構成された制御回路（１０７）を有することを特徴とするユーザ装置。
【請求項１２】
前記制御信号は、
前記ユーザ装置のアップリンク送信電力を制御するためにユーザ装置に送信される送信電力制御コマンドと、
前記ユーザ装置によるハイブリッド自動繰り返し要求（ＨＡＲＱ）再送信を制御するために前記ユーザ装置に送信されるＨＡＲＱ確認応答／否定確認応答（ＡＣＫ／ＮＡＣＫ）信号と、
前記ユーザ装置の送信ダイバーシチパラメータの明示的な制御のための制御信号との内の１つ以上のタイプを含むことを特徴とする請求項１１に記載のユーザ装置。
【請求項１３】
前記受信信号を推定する制御回路は、
信号対干渉比（ＳＩＲ）と、
信号対干渉プラス雑音比（ＳＩＮＲ）と、
ビット誤り率と、
ブロック誤り率と、
サービスデータユニット（ＳＤＵ）誤り率と、
フレーム誤り率と、
シンボル誤り率と、
の内の１つ以上に基づいて前記受信信号品質を推定するよう構成されることを特徴とする請求項１１又は１２に記載のユーザ装置。
【請求項１４】
前記１つ以上のパラメータは、送信ダイバーシチブランチで送信される信号の
相対的位相と、
相対電力と、
相対的周波数と、
タイミングと、
相対振幅と、
絶対電力と、
の内の１つ以上を含むことを特徴とする請求項１１乃至１３のいずれか１項に記載のユーザ装置。
【請求項１５】
前記アップリンク送信ダイバーシチ動作は、送信ダイバーシチビームフォーミングであり、
前記１つ以上のパラメータは、送信ダイバーシチブランチで送信される信号の相対位相と相対振幅とを含むことを特徴とする請求項１４に記載のユーザ装置。
【請求項１６】
前記アップリンク送信ダイバーシチ動作は、アンテナ切り替えのアップリンク送信ダイバーシチであり、
前記１つ以上のパラメータは、送信ダイバーシチブランチで送信される信号の振幅または電力を含むことを特徴とする請求項１４に記載のユーザ装置。
【請求項１７】
前記制御信号の組において、どんな制御信号も高い信頼性では受信されなかったと判定された場合には、前記ユーザ装置は、前記少なくとも２つのアップリンク送信アンテナの組の内の、全ての数よりも少ない数の送信アンテナを使用してアップリンク送信を実行するよう構成されることを特徴とする請求項１１乃至１６のいずれか１項に記載のユーザ装置。
【請求項１８】
前記制御信号の組において、どんな制御信号も高い信頼性では受信されなかったと判定された場合には、前記ユーザ装置は、単一の送信アンテナによる送信モードに切り替えて、前記少なくとも２つ以上のアップリンク送信アンテナの組の内の１つのアンテナを使用してアップリンク送信を実行するよう構成されることを特徴とする請求項１１乃至１６のいずれか１項に記載のユーザ装置。
【請求項１９】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、前記少なくとも２つのアップリンクアンテナの組の内の、全ての数よりも少ない数の送信アンテナを使用して、アップリンク送信を実行するよう構成されることを特徴とする請求項１１乃至１６のいずれか１項に記載のユーザ装置。
【請求項２０】
前記制御信号の組がＮ個の制御信号から構成されていて、その中のＮより小さい数であるＭ個（Ｍ＜Ｎ）の制御信号が高い信頼性で受信されたと判定された場合には、前記ユーザ装置は、単一の送信アンテナによる送信モードに切り替えて、前記少なくとも２つのアップリンク送信アンテナの内の１つのアンテナを使用して、アップリンク送信を実行するよう構成されることを特徴とする請求項１１乃至１６のいずれか１項に記載のユーザ装置。
【請求項２１】
前記ユーザ装置は複数の無線リンクに接続可能であり、
前記ユーザ装置は２つ以上の無線リンクからのダウンリンク信号或いは命令を受信するように適合されており、
前記ユーザ装置の前記制御回路（１０７）は、
１つ以上のアップリンク送信ダイバーシチパラメータを導出或いは調整するために、品質が閾値より高い、各無線リンクからのダウンリンク命令だけを用いるよう構成されていることを特徴とする請求項１１乃至２０のいずれか１項に記載のユーザ装置。
【請求項２２】
前記ユーザ装置は、信頼できない受信命令のために、前記アップリンク送信ダイバーシチのためのパラメータの不適切な設定についての状況について前記ネットワークに明示的に通知するよう構成されていることを特徴とする請求項１１乃至２１のいずれか１項に記載のユーザ装置。
【国際調査報告】
2013507824.tif 000007
2013507824.tif 000008
2013507824.tif 000009
2013507824.tif 000010